(57)【要約】【課題】  従来の絡まない洗濯バサミは、構造が複雑で製造コストがかかり、使いにくい物でした。  本発明の目的は、構造を簡略化し、低コスト化を実現することです。さらに部品点数を増やさずに、従来の洗濯バサミの基本性能を損なう事無く、衛生面でも耐久性でも実用に耐え得るものを作ることです。【解決手段】  上述の目的を達成する為、本発明は従来の洗濯バサミの把持片を長く延ばし内側へ曲げたアーム部を作り、アーム部が互い違いに交差している事を特徴とする絡まない構造の洗濯バサミ。【選択図】図４
2006305264.tif 000002
【特許請求の範囲】
【請求項１】
アーム部分を長く作り、内側へ曲げたことを特徴とする洗濯バサミ。
【請求項２】
前記洗濯バサミは、内側へ曲がったアーム部分を摘んだとき、アームの先端が互い違いに交差することを特徴とした、請求項１記載の洗濯バサミ。
【発明の詳細な説明】
【技術分野】
【０００１】  本発明は、一般家庭で使用する洗濯バサミに関するものです。【０００２】  従来の吊り下げて使用する洗濯バサミは、収納時及び使用時、洗濯バサミのアーム部分が釣り針のように鉤状となり、他の物に引っかかり易く使いにくい物でした。【０００３】  これを解消するため、たくさんの絡まない洗濯バサミが発表されていますが、構造が複雑なため生産コストが高かったり、洗濯バサミ本来の挟む力を弱めてしまう物や、摘みにくい物ががほとんどでした。【０００４】  なお、本願発明に関する公知技術として次の特許文献１及び２、実用新案文献３を挙げることが出来る。【０００５】
【特許文献１】  特許公開２００４−２０９１２８
【特許文献２】  特許公開２００４−６５７５６
【実用新案文献３】
登録実用新案第３０２５５７５号
【発明の開示】
【発明が解決しようとする課題】
【０００６】  上述の如く、従来の技術に関わる絡まない洗濯バサミは、構造が複雑で製造コストがかかり、壊れ易くなります。【０００７】  また、洗濯バサミ本来の基本性能である、挟む力を弱めてしまう物や摘みにくい物も有ります。【０００８】  さらに衛生面でも、虫が住み着いたり汚れ易くなり，実用化が難しい物でした。【０００９】  本発明は、このような点に鑑みて成されたものであり、その目的は構造を簡略化し、低コスト化を実現することです。
さらに部品点数を増やさずに、従来の洗濯バサミの基本性能を損なう事無く、衛生面でも耐久性でも実用に耐えうるものを作ることです。
【課題を解決するための手段】
【００１０】  上述の目的を達成する本発明の絡まない洗濯バサミは、従来の洗濯バサミのアーム部分を長く作り、内側へ曲げることにより、他のものへ絡まない構造と成ります。【００１１】  さらに、これを摘んで洗濯物を干す時に、曲げたアーム部分が互いにぶつからない様に、互い違いに交差するようにしたり、横にずらしたりする事を特徴とします。
【発明の効果】
【００１２】  以上説明したように本発明によれば、部品点数を増やす事無く絡まない構造を作りあげた事で、従来の洗濯バサミの基本性能である挟む力を減少せず、簡略化と低コスト化を実現し、従来の絡まない洗濯バサミと比べ、衛生面と耐久性ともに向上することに成功し、実用性の高いものとなりました。
【発明を実施するための最良の形態】
【００１３】  以上、本発明の実施の形態を図面に基づき詳細に説明する。【００１４】  図１、図２、図３、図４は本発明の実施の形態に係り、外観のデザイン例を示しました。【００１５】  図１、図２、図３、図４に示すように本洗濯バサミは、３の部分で内側へ曲げ１と２が本洗濯バサミを摘んだ時にぶつからない様に、互い違いに交差するように作られています。【００１６】  また１のアーム部分先端に４のような襞を外側へ付けることにより、洗濯物を挟んだときの洗濯物の厚みの分アーム１の先端が広がって他のものに絡むことを軽減することが出来ます。【００１７】  以上、本発明の実施の形態及び実施例を説明したが、本発明の範囲はこれに限定されるものではない。例えば３のアーム曲げ角５及びアーム１，２の長さ，幅，形状，及び襞４のデザイン等、状況に応じて適宜選択されるものである。【００１８】  さらに、実施例では吊り下げタイプの洗濯バサミについて説明しているが、用途は洗濯物に限らず、書類やアクセサリー等吊り下げ用として広く用いることが可能です。
構造体の材質においては適当な任意の材質のものが利用でき、形状，大きさ等も任意に選定することができる。
【図面の簡単な説明】
【００１９】
【図１】  本発明の洗濯バサミの外観斜視図の一例である。
【図２】  本発明の洗濯バサミの外観斜視図の一例である。
【図３】  本発明の洗濯バサミの正面図の一例である。
【図４】  本発明の洗濯バサミの正面図の一例である。
【符号の説明】
【００２０】１，２    絡まない洗濯バサミのアーム部分
３        絡まない洗濯バサミの曲げ部分
４        洗濯物を挟んだときに引っかからない為の襞
５        絡まない洗濯バサミの曲げ部分の曲げ角
【図１】
2006305264.tif 000003
【図２】
2006305264.tif 000004
【図３】
2006305264.tif 000005
【図４】
2006305264.tif 000006
【手続補正書】
【提出日】平成17年10月27日(2005.10.27)
【手続補正１】
【補正対象書類名】特許請求の範囲
【補正対象項目名】全文
【補正方法】変更
【補正の内容】
【特許請求の範囲】
【請求項１】
支点で互いに結合した左右一対の挟持部材が、支点より下方に突出する挟持片と上方に突出する把持片とを有し、この両挟持部材に挟持片が常時閉じる弾性を付勢する弾性部材を取りつけた洗濯バサミにおいて、上記把持片を長く延ばし内側へ曲げたアーム部を作り、アーム部が互い違いに交差している事を特徴とする絡まない構造の洗濯バサミ。
【請求項２】
前記洗濯バサミは一方のアームの中心部に穴を空け、この穴を貫通するようにもう片方のアームを細く加工したことを特徴とする、請求項１記載の洗濯バサミ。
【請求項３】
前記洗濯バサミはアームの厚みを薄くして左右のアームを前後にずらし、アームの先端が互い違いに交差し横をすり抜けることを特徴とする、請求項１記載の洗濯バサミ。
【請求項４】
前記洗濯バサミは指で摘むとき、指と接する把持片とアーム部分を平面あるいは緩やかな曲面にした事を特徴とする、請求項２および３記載の洗濯バサミ。
【請求項５】
前記洗濯バサミはアームの外側へ襞を付けた事を特徴とする、請求項４記載の洗濯バサミ。
【請求項６】
前記洗濯バサミはアーム上方に吊り下げる為の、穴あるいはフックやアーチ状の把手を設けた事を特徴とする、請求項５記載の洗濯バサミ。
【手続補正２】
【補正対象書類名】明細書
【補正対象項目名】全文
【補正方法】変更
【補正の内容】
【発明の詳細な説明】
【技術分野】
【０００１】  本発明は、一般家庭で使用する洗濯バサミに関するものです。【０００２】  従来の吊り下げて使用する洗濯バサミは、収納時及び使用時、洗濯バサミのアーム部分が釣り針のように鉤状となり、池の物に引っかかり易く使いにくい物でした。【０００３】  これを解消するため、たくさんの絡まない洗濯バサミが発表されていますが、構造が複雑なため生産コストが高かったり、洗濯バサミ本来の挟む力を弱めてしまう物や、摘みにくい物ががほとんどでした。【０００４】  なお、本願発明に関する公知技術として次の特許文献１及び２、実用新案文献３を挙げることが出来る。【０００５】
【特許文献１】  特許公開２００４−２０９１２８
【特許文献２】  特許公開２００４−６５７５６
【特許文献３】  登録実用新案第３０２５５７５号
【発明の開示】
【発明が解決しようとする課題】
【０００６】  特許文献１のように、従来の技術に関わる絡まない洗濯バサミは、構造が複雑で製造コストがかかり壊れ易くなります。【０００７】  特許文献２のように、洗濯バサミ本来の基本性能である、挟む力を弱めてしまう物や摘みにくい物も有ります。【０００８】  特許文献３のように、衛生面でも、虫が住み着いたり汚れ易くなり、実用化が難しい物でした。【０００９】  本発明は、このような点に鑑みて成されたものであり、その目的は構造を簡略化し、低コスト化を実現することです。
さらに部品点数を増やさずに、従来の洗濯バサミの基本性能を損なう事無く、衛生面でも耐久性でも実用に耐えうるものを作ることです。
【課題を解決するための手段】
【００１０】  上述の目的を達成する本発明の絡まない洗濯バサミは、支点で互いに結合した左右一対の挟持部材が、支点より下方に突出する挟持片と上方に突出する把持片とを有し、この両挟持部材に挟持片が常時閉じる弾性を付勢する弾性部材を取りつけた洗濯バサミにおいて、上記把持片を長く延ばし内側へ曲げたアーム部を作り、アーム部が互い違いに交差している事を特徴とする絡まない構造の洗濯バサミです。【００１１】  そして一方のアームの中心部に穴を空け、この穴を貫通するようにもう片方のアームを細く加工し、本洗濯バサミを摘んだとき、一方のアームの中心をもう片方のアームの先端が貫通し互い違いに交差してすり抜けることを特徴としているものや、アームの厚みを薄くして左右のアームを前後にずらして、互い違いに交差してすり抜けることを特徴としているものです。【００１２】  また、指で摘んで物を挟むとき、指と接する把持片とアーム部分を平面あるいは緩やかな曲面にした事を、特徴とするものです。【００１３】  そしてアーム外側へ襞を付けたことを特徴としています。【００１４】  さらに前記洗濯バサミはアーム上方に吊り下げる為の、穴あるいはフックやアーチ状の把手を設けた事を特徴とするもので、任意の形状のフレーム等に、複数個の本洗濯バサミをつけた事により最大限の効果を発揮するものです。
【発明の効果】
【００１５】  以上説明したように本発明によれば、部品点数を増やす事無く絡まない構造を作りあげた事で、従来の洗濯バサミの基本性能を損なう事無く、使用時においても変形や屈伸を必要としない、指で摘むことの妨げとならない、厚手の洗濯物を挟みこんでも絡みやすい空間や隙間が出来ない、実用性の高いものとなりました。
従来の絡まない洗濯バサミと比べ、衛生面と耐久性ともに向上することに成功し、生産段階での低コスト化を実現しました。
【発明を実施するための最良の形態】
【００１６】  以上、本発明の実施の形態を図面に基づき詳細に説明する。【００１７】  図１，に示す本洗濯バサミは、図３を理解するための参考図です。【００１８】  図２，に示す本洗濯バサミは、図４を理解するための参考図です。【００１９】  図３，に示す本洗濯バサミは、３の部分で内側へ曲げ１と２のアームの先端が水平方向を向くまで曲げて、１と２のアームの先端が上部で交差することにより、６の空間が閉じられた状態になって絡まない構造と成ります。
これにより使用時においてもアームの先端の突出部を少なくし、突出する方向も斜め下方になるので絡みにくい状態となります。
１と２のアームは互いにぶつからない様に、２のアームの中心に穴を空け１のアームの先端を細く加工して１のアームが２のアームの中心を貫通して互い違いに交差して摘むことを妨げないようにしています。
また、２のアームは二本の柱で支えているため、十分な強度を保つことが出来ます。
さらに、外部からの絡む物品等が６の空間に進入することを、強い作用で防ぐことが出来ます。
尚、アームの形状は指で摘む把持片３の部分のスペースを十分にとっておくとともに、平面あるいは緩やかな曲面で指と接するような形状にして、指で力を加える方向と指と接する面とが垂直になるようにしています。
これにより把持片を指で摘んだとき、突出するアームの先端が指にぶつかることを防ぐとともに、指に接して感じる部分の突出感や違和感を軽減し、使用感の良いものとなっています。
そして、２のアームの上部に吊り下げ用の穴７あるいはフックやアーチ状の把手を設けます。
尚、７のアームの穴は、２のアームの中心に空けた穴と共通にしても良いでしょうし、アームの先端に限らずアームの上部であれば、デザイン的にはどこでも良いでしょう。【００２０】  図４，に示す本洗濯バサミは、３の部分で内側へ曲げ１と２のアームの先端が水平方向を向くまで曲げて、１と２のアームの先端が上部で交差することにより、６の空間が閉じられた状態になって絡まない構造と成ります。
これにより使用時においてもアームの先端の突出部を少なくし、突出する方向も斜め下方になるので絡みにくい状態となります。
さらに、摘んだ時にぶつからない様に、１と２のアームの厚みを薄くして前後にずらして互い違いに交差して、摘むことを妨げないようにしています。
１と２のアームは同じ形状をしているので図３の物品に比べ、部品の種類を一品少なくして生産コストを安くすることが出来ます。
１と２のアームは厚みが薄くなるので、幅を広くして強度を高めています。
左右のアームの部分を同じ形状にする為、アームの先端を少し長めに作り幅を広げて吊り下げ用の穴を設けています
このままでは上部中央に引っかかりやすい溝ができるので、４の部分に襞を付けて幅を広くして溝が出来ないようにしています。
これにより、挟持片に物をはさんでもアーム上部に絡みやすい空間が出来ないようにしています。【００２１】  図５，に示す本洗濯バサミは、図３と同じ構造のものでアーム部分に４のような襞を付けたことで挟持片に物をはさんでも、突出するアームの先端上部に絡みやすい空間ができないようにしています。【００２２】  なお、上記の本洗濯バサミは、単品で使用することも出来ますが、任意の形状のフレーム等に複数個の本洗濯バサミを取り付けて使用することにより、最大限に絡まない洗濯バサミの能力を発揮するものです。【００２３】  以上、本発明の実施の形態を説明したが、本発明の範囲はこれに限定されるものではない。
例えば３のアーム曲げ角及びアーム１，２の長さ，幅，厚み，形状，及び襞４のデザインあるいは吊り下げ用の穴の位置等、状況に応じて適宜選択されるものである。【００２４】  また、上記説明では吊り下げタイプの洗濯バサミについて説明しているが、用途は洗濯物に限らず、書類やアクセサリー等吊り下げ用として広く用いることが可能です。
構造体の材質においては適当な任意の材質のものが利用でき、形状，大きさ，色彩等も任意に選定することができる。
【図面の簡単な説明】
【００２５】
【図１】  本発明の洗濯バサミの斜視図で３図の理解を深めるための参考図である。
【図２】  本発明の洗濯バサミの斜視図で４図の理解を深めるための参考図である。
【図３】  本発明の洗濯バサミのデザインの一例である。
【図４】  本発明の洗濯バサミのデザインの一例である。
【図５】  本発明の洗濯バサミのデザインの一例である。
【符号の説明】
【００２６】  １，２    絡まない洗濯バサミのアーム部分。
３        絡まない洗濯バサミの曲げ部分、及び使用時指で摘む部分。
４        洗濯物を挟んだときに引っかかりやすい状態にならない為の襞。
５        絡まない洗濯バサミの曲げ部分の曲げ角。
６        絡まない構造と成る閉じられた空間。
７        アーム上部に設けられた吊り下げる為の穴。
【手続補正３】
【補正対象書類名】図面
【補正対象項目名】全図
【補正方法】変更
【補正の内容】
【図１】
2006305264.tif 000007
【図２】
2006305264.tif 000008
【図３】
2006305264.tif 000009
【図４】
2006305264.tif 000010
【図５】
2006305264.tif 000011
【手続補正書】
【提出日】平成18年3月6日(2006.3.6)
【手続補正１】
【補正対象書類名】特許請求の範囲
【補正対象項目名】全文
【補正方法】変更
【補正の内容】
【特許請求の範囲】
【請求項１】
交点で互いに結合した左右一体の挟持部材が、支点より下方に突出する挟持片と上方に突出する把持片とを有し、この両挟持片が常時閉じる弾性を付勢する弾性部材を取り付けた洗濯バサミにおいて、
前記把持片の各端部にはアームの一端が連接され前記各アームは内側方向を向き、各アームの幅は前記把持片の幅の半分であり、各アームは円弧形状をしており、各アームの先端部分は膨らみを有する襞が形成され、
前記両挟持片が閉じた状態においては各アームの他端の膨らみを有する襞は交差し、前記両挟持片が開いた状態においては前記各アームの膨らみを有する襞が互いに連続することを特徴とする絡まない洗濯バサミ。
【請求項２】
交点で互いに結合した左右一体の挟持部材が、支点より下方に突出する挟持片と上方に突出する把持片とを有し、この両挟持片が常時閉じる弾性を付勢する弾性部材を取り付けた洗濯バサミにおいて、
前記把持片の各端部にはアームの一端が連接され前記各アームは内側方向を向き、前記一方のアームには長さ方向にスリットが設けられ、他方のアーム幅は前記スリット幅よりも狭く形成され、
前記両挟持片が閉じた状態においては各アームの他端は交差し、前記両挟持片が開いた状態においては前記他方のアームが前記一方のアームのスリット中に入り込むことを特徴とする絡まない洗濯バサミ。
【請求項３】
前記アームは円弧形状をしていることを特徴とする請求項２に記載の絡まない洗濯バサミ。
【手続補正２】
【補正対象書類名】明細書
【補正対象項目名】００１０
【補正方法】変更
【補正の内容】
【００１０】
上述の課題を解決するために、本発明の第１の洗濯バサミは、交点で互いに結合した左右一体の挟持部材が、支点より下方に突出する挟持片と上方に突出する把持片とを有し、この両挟持片が常時閉じる弾性を付勢する弾性部材を取り付けた洗濯バサミにおいて、前記把持片の各端部にはアームの一端が連接され前記各アームは内側方向を向き、各アームの幅は前記把持片の幅の半分であり、各アームは円弧形状をしており、各アームの先端部分は膨らみを有する襞が形成され、前記両挟持片が閉じた状態においては各アームの他端の膨らみを有する襞は交差し、前記両挟持片が開いた状態においては前記各アームの膨らみを有する襞が互いに連続することを特徴とする絡まない洗濯バサミです。
【手続補正３】
【補正対象書類名】明細書
【補正対象項目名】００１１
【補正方法】変更
【補正の内容】
【００１１】
また、本発明の第２の洗濯バサミは、交点で互いに結合した左右一体の挟持部材が、支点より下方に突出する挟持片と上方に突出する把持片とを有し、この両挟持片が常時閉じる弾性を付勢する弾性部材を取り付けた洗濯バサミにおいて、前記把持片の各端部にはアームの一端が連接され前記各アームは内側方向を向き、前記一方のアームには長さ方向にスリットが設けられ、他方のアーム幅は前記スリット幅よりも狭く形成され、前記両挟持片が閉じた状態においては各アームの他端は交差し、前記両挟持片が開いた状態においては前記他方のアームが前記一方のアームのスリット中に入り込むことを特徴とする絡まない洗濯バサミです。
【手続補正４】
【補正対象書類名】明細書
【補正対象項目名】００１２
【補正方法】変更
【補正の内容】
【００１２】
また、好ましくは、第２の発明において、前記アームは円弧形状をしていることを特徴とする洗濯バサミです。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
本発明に係る第１の洗濯バサミによれば、把持片の各端部にはアームの一端が連接され各アームは内側方向を向き、各アームの幅は把持片の幅の半分であり、各アームは円弧形状をしており、各アームの先端部分は膨らみを有する襞が形成されるので、両挟持片が閉じた状態においては各アームの他端の膨らみを有する襞は交差し、両挟持片が開いた状態においては各アームの膨らみを有する襞が互いに連続するので、この洗濯バサミを物干ハンガーに取り付けた場合、両挟持片が閉じた状態においても開いた状態においても、各アームの他端は閉じているので、他の洗濯バサミと絡み合うことが無くなる。
また、本発明に係る第２の洗濯バサミによれば、把持片の各端部にはアームの一端が連接され各アームは内側方向を向き、一方のアームには長さ方向にスリットが設けられ、他方のアーム幅はスリット幅よりも狭く形成され、両挟持片が閉じた状態においては各アームの他端は交差し、両挟持片が開いた状態においては他方のアームが前記一方のアームのスリット中に入り込むように構成されるので、この洗濯バサミを物干ハンガーに取り付けた場合、両挟持片が閉じた状態においても開いた状態においても、各アームの他端は閉じているので、他の洗濯バサミと絡み合うことが無くなる。
また、本発明に係る第３の洗濯バサミによれば、構造は第２の洗濯バサミと同様であるが、アームが円弧形状をしているので、洗濯バサミを物干ハンガーに取り付けた場合、両挟持片が開いた状態においても、各アームの他端は近接しているので、第２の発明と比べさらに他の洗濯バサミと絡み合うことが無くなる。
【手続補正８】
【補正対象書類名】明細書
【補正対象項目名】００１９
【補正方法】変更
【補正の内容】
【００１９】
図３に示す本洗濯バサミは、把持片の各端部３の部分でアーム１，２の先端が内側方向を向き、アーム１，２の先端部が交差することにより、閉空間６を形成し、他の洗濯バサミと絡まない構造と成ります。
一方のアーム２には長さ方向にスリット（穴）が設けられ、他方のアーム１の幅はスリット幅よりも狭く形成され、アーム１がアーム２のスリットに挿入される構造になっています。
また、アーム２は２本の柱で支えているため、十分な強度を保つことが出来ます。さらに、外部からの絡む物品等が空間６に進入することを防ぐことが出来ます。
また、図３に示す洗濯バサミは、その構造は図１に示す洗濯バサミと同じですが、把持片の各端部とアームとは円弧形状の滑らか曲面になるように形成することによって、把持片を指で摘んだとき、突出するアームの先端が指にぶつかることを防ぐとともに、指に接して感じる部分の突出感や違和感を軽減し、使用感の良いものになっています。
【手続補正９】
【補正対象書類名】明細書
【補正対象項目名】００２０
【補正方法】変更
【補正の内容】
【００２０】
図４に示す洗濯バサミは、把持片の各端部３の部分でアーム１、２の先端が内側方向を向き、アーム１，２の先端部が交差することにより、閉空間６を形成し、他の洗濯バサミと絡まない構造となります。
各アームの幅は把持片の幅の半分であり、各アーム１，２は常に交差した状態になるので、アーム１，２および把持片によって閉空間６が形成され、外部からの絡む物品等が空間６に進入することを防ぐことが出来ます。
また、図４に示す洗濯バサミは、その構造は図２に示す洗濯バサミと同じですが、把持片の各端部とアームとは円弧形状の滑らか曲面になるように形成することによって、把持片を指で摘んだとき、突出するアームの先端が指にぶつかることを防ぐとともに、指に接して感じる部分の突出感や違和感を軽減し、使用感の良いものになっています。
さらに、各アームの先端部分は膨らみを有する襞が形成されるので、両挟持片が閉じた状態においては各アームの他端の膨らみを有する襞は交差し、両挟持片が開いた状態においては各アームの膨らみを有する襞が互いに連続するので、この洗濯バサミを物干ハンガーに取り付けた場合、両挟持片が閉じた状態においても開いた状態においても、各アームの他端は閉じているので、他の洗濯バサミと絡み合うことが無くなる。
アーム１，２は同じ形状をしているので、図３の物品に比べ、部品の種類を一品少なくして生産コストを安くすることが出来ます。
アーム１，２は幅が薄くなるので、厚みを広くして強度を高めます。
左右のアームの部分を同じ形状にする為、アームの先端を少し長めに作り厚さを広げて吊し下げ用の穴を設けています。
このままでは上部中央に引っかかりやすい溝が出来るので、４の部分に襞を付けて厚さを広くして溝が出来ないようにしています。
これにより、挟持片に物を挟んでもアーム上部に絡みやすい空間が出来ないようにしています。
【手続補正１０】
【補正対象書類名】明細書
【補正対象項目名】００２１
【補正方法】削除
【補正の内容】
【手続補正１１】
【補正対象書類名】明細書
【補正対象項目名】００２５
【補正方法】変更
【補正の内容】
【００２５】
【図１】本発明の第１の実施例の洗濯バサミの斜視図を示す図である。
【図２】本発明の第２の実施例の洗濯バサミの斜視図を示す図である。
【図３】本発明の第１の実施例の洗濯バサミのデザインの一例を示す図である。
【図４】本発明の第２の実施例の洗濯バサミのデザインの一例を示す図である。
【手続補正１２】
【補正対象書類名】図面
【補正対象項目名】図５
【補正方法】削除
【補正の内容】
【手続補正書】
【提出日】平成18年3月9日(2006.3.9)
【手続補正１】
【補正対象書類名】明細書
【補正対象項目名】００２５
【補正方法】変更
【補正の内容】
【００２５】
【図１】本発明の第２の洗濯バサミの斜視図を示す図である。
【図２】本発明の第１の洗濯バサミの斜視図を示す図である。
【図３】本発明の第２の洗濯バサミのデザインの一例を示す図である。
【図４】本発明の第１の洗濯バサミのデザインの一例を示す図である。
【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
交点で互いに結合した左右一体の挟持部材が、支点より下方に突出する挟持片と上方に突出する把持片とを有し、この両挟持片が常時閉じる弾性を付勢する弾性部材を取り付けた洗濯バサミにおいて、
前記把持片の各端部にはアームの一端が連接され前記各アームは内側が凹状になった円弧形状をしており、各アームの他端にはそれぞれ襞が形成され、
前記両挟持片が閉じた状態においては各アームの他端及び各アームの襞はそれぞれ交差し、前記両挟持片が開いた状態においては前記各アーム及び各襞はそれぞれ互いに連続することを特徴とする絡まない洗濯バサミ。
【手続補正２】
【補正対象書類名】明細書
【補正対象項目名】００１０
【補正方法】変更
【補正の内容】
【００１０】
上述の課題を解決するために、本発明の第１の洗濯バサミは、交点で互いに結合した左右一体の挟持部材が、支点より下方に突出する挟持片と上方に突出する把持片とを有し、この両挟持片が常時閉じる弾性を付勢する弾性部材を取り付けた洗濯バサミにおいて、前記把持片の各端部にはアームの一端が連接され前記各アームは内側が凹状になった円弧形状をしており、各アームの他端にはそれぞれ襞が形成され、前記両挟持片が閉じた状態においては各アームの他端及び各アームの襞はそれぞれ交差し、前記両挟持片が開いた状態においては前記各アーム及び各襞はそれぞれ互いに連続することを特徴とする絡まない洗濯バサミです。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１５
【補正方法】変更
【補正の内容】
【００１５】
本発明に係る洗濯バサミによれば、把持片の各端部にはアームの一端が連接され各アームは内側が凹状になった円弧形状をしており、各アームの他端にはそれぞれ襞が形成され、両挟持片が閉じた状態においては各アームの他端及び各アームの襞はそれぞれ交差し、両挟持片が開いた状態においては各アーム及び各襞はそれぞれ互いに連続するので、この洗濯バサミを物干ハンガーに取り付けた場合、両挟持片が閉じた状態においても開いた状態においても、各アームの他端は閉じているので、他の洗濯バサミと絡み合うことが無くなる。
【手続補正６】
【補正対象書類名】明細書
【補正対象項目名】００２０
【補正方法】変更
【補正の内容】
【００２０】
図４に示す洗濯バサミは、把持片の各端部３の部分でアーム１、２の先端が内側方向を向き、アーム１，２の先端部が交差することにより、閉空間６を形成し、他の洗濯バサミと絡まない構造となります。
各アーム１，２は常に交差した状態になるので、アーム１，２および把持片によって閉空間６が形成され、外部からの絡む物品等が空間６に進入することを防ぐことが出来ます。
また、図４に示す洗濯バサミは、その構造は図２に示す洗濯バサミと同じですが、把持片の各端部とアームとは円弧形状の滑らか曲面になるように形成することによって、把持片を指で摘んだとき、突出するアームの先端が指にぶつかることを防ぐとともに、指に接して感じる部分の突出感や違和感を軽減し、使用感の良いものになっています。
さらに、各アームの先端にはそれぞれ襞が形成されるので、両挟持片が閉じた状態においては各アームの他端及び各アームの襞はそれぞれ交差し、両挟持片が開いた状態においては各アーム及び各襞はそれぞれ互いに連続するので、この洗濯バサミを物干ハンガーに取り付けた場合、両挟持片が閉じた状態においても開いた状態においても、各アームの他端は閉じているので、他の洗濯バサミと絡み合うことが無くなる。
アーム１，２は同じ形状をしているので、図３の物品に比べ、部品の種類を一品少なくして生産コストを安くすることが出来ます。
アーム１，２は幅が薄くなるので、厚みを広くして強度を高めます。
左右のアームの部分を同じ形状にする為、アームの先端を少し長めに作り厚さを広げて吊し下げ用の穴を設けています。
このままでは上部中央に引っかかりやすい溝が出来るので、４の部分に襞を付けて厚さを広くして溝が出来ないようにしています。
これにより、挟持片に物を挟んでもアーム上部に絡みやすい空間が出来ないようにしています。